(57)【要約】【課題】  特に触覚的なタッチ表面および柔軟な電気的遮蔽を含む表示装置を提供する。【解決手段】  本発明の一般的分野は、タッチ表面を含むフラットスクリーン表示装置の分野である。かかる装置は、−  導電性機械的ホルダ（２）の底部に実装される表示パネル（１）であって、その上側表面に、前記マトリクス・パネルとほぼ同じ寸法をもつ透明な電気的遮蔽フィルム（３）が配置される表示パネル（１）、および−  前記表示パネルとほぼ同じ寸法のタッチ・パネル（６）であって、前記表示パネルの上に配置され、その下側表面は遮蔽フィルムの直上に配置されるタッチ・パネル（６）を収容する導電性機械的ホルダ（２）を含む。  本発明による表示装置は、電気的遮蔽フィルムと導電性機械的ホルダの底部間の接地経路を形成する柔軟な導電性フィルム（８）を含み、柔軟な導電性フィルムと遮蔽フィルムは、表示パネルの周縁部上で接触する。【選択図】      図５
2016071364.tif 000002
【特許請求の範囲】
【請求項１】
タッチ表面を含むフラットスクリーン表示装置であって、
−  導電性機械的ホルダ（２）の底部に実装されるマトリクス表示パネル（１）であって、その上側表面に、前記マトリクス・パネルとほぼ同じ寸法をもつ透明な電気的遮蔽フィルム（３）が配置されるマトリクス表示パネル（１）、
−  前記マトリクス表示パネルとほぼ同じ寸法のタッチ・パネル（６）であって、前記マトリクス表示パネルの上に配置され、その下側表面は前記遮蔽フィルムの直上に配置されるタッチ・パネル（６）、
を収容する前記導電性機械的ホルダ（２）を少なくとも１個含み
柔軟な導電性フィルム（８）が前記電気的遮蔽フィルムと前記導電性機械的ホルダの底部間の接地経路を形成するために使用され、前記柔軟な導電性フィルムと前記遮蔽フィルムは、前記マトリクス表示パネルの周縁部上で接触することを特徴とする表示装置。
【請求項２】
請求項１による表示装置であって、前記導電性フィルムが導電性接着剤または導電性粘着剤または導電性インクにより前記電気的遮蔽フィルムに固定されることを特徴とする表示装置。
【請求項３】
請求項１による表示装置であって、前記導電性フィルムが金属化ナイロン織地であることを特徴とする表示装置。
【請求項４】
請求項１による表示装置であって、前記マトリクス表示パネルが液晶パネルまたは有機発光ダイオード・パネルまたは電気機械的マイクロミラーのマトリクスであることを特徴とする表示装置。
【請求項５】
請求項１による表示装置であって、前記マトリクス表示パネルと前記ホルダの底部の間に置かれる振動手段（９）により保証される触覚機能を含み、前記導電フィルムは、前記触覚効果による前記マトリクス表示パネルの運動を妨げないように十分な可撓性をもつことを特徴とする表示装置。
【発明の詳細な説明】
【技術分野】
【０００１】
本発明の分野は、透明な表示マトリクスおよびタッチ表面を含み、触覚応用の考えられる表示装置の分野である。好ましい適用分野は、航空機およびコックピットの表示システムである。
【背景技術】
【０００２】
一般的に、フラットスクリーン表示装置は、金属ホルダ中に実装されるガラス・パネルを含む。様々な種類の表示装置が存在する。特に液晶（すなわちＬＣＤ）装置に関する言及がなされるであろう。非常に妨害の多い電磁環境における一定の応用において電磁問題を限定するために表示装置の前面を電気的遮蔽する必要がある。
【０００３】
透明の状態を維持しなければならないガラス・パネルを遮蔽する種々の方法がある。中でも、インジウム・スズ酸化物（ＩＴＯ）によるコーティングまたは処理、導電性マイクロメッシュ・フィルム、カーボン・ナノチューブを含むフィルム、および合体シルバーを含む析出金属の利用について言及がなされるであろう。この遮蔽は、効果を発揮するために、金属ホルダに接続されなければならない。ホルダ２中のガラス表示パネル１の断面図を示す図１に示されているように、シールド３は、一般的に、ガラス・パネル１のメイン・ホルダに固定されている金属の骨組み５により支持されている電磁適合性（ＥＭＣ）遮蔽シール４経由で接地されている。この解決方法は、遮蔽シールがシールドと直接接触する良好な結果を与える。
【０００４】
現在、多くの応用において、表示装置は、表示のために使用されるガラス・パネルの上に実装されるタッチ・パネルを含んでいる。遮蔽の継続性を確保するために、種々の解決方法が可能である。第１の解決方法を図２に示す。それは、先行金属骨組み５の上にタッチ・パネル６を付加することからなる。したがって、図２から分かるように、ガラス・パネルとタッチ・パネルの間に空隙がある。この空隙には多数の欠陥がある。その組み立て品は機械的耐久性に優れていない。また、タッチ・パネルが追加反射をもたらし、また、光の透過に損失を引き起こす。
【０００５】
第２の解決方法は、先行構造を変更することなくタッチ・パネル６をシールドに接着により結合することからなり、それにより空隙による問題を除去する。この方法は、図３に示されている。それは、コンパクトさに関して不利である。
【発明の概要】
【課題を解決するための手段】
【０００６】
本発明による表示装置は、これらの欠陥をもたない。その主な特徴は、接地がもはや周縁部のシールではなく、むしろ薄い柔軟な導電性フィルム経由で実現されることである。本発明の主題は、より正確には、タッチ表面を含むフラットスクリーン表示装置であり、この装置は、
―  導電性機械的ホルダの底部に実装されるマトリクス表示パネルであって、その上側表面に、マトリクス・パネルとほぼ同じ寸法をもつ透明な電気的遮蔽フィルムが配置されるマトリクス表示パネル、および
−  マトリクス表示パネルとほぼ同じ寸法のタッチ・パネルであって、前記マトリクス表示パネルの上に配置され、その下側表面は遮蔽フィルムの直上に配置されるタッチ・パネル
を収容する導電性機械的ホルダを少なくとも１個含み：
柔軟な導電性フィルムは、電気的遮蔽フィルムと導電性機械的ホルダの底部間の接地経路を形成するために使用され、柔軟な導電性フィルムと遮蔽フィルムは、マトリクス表示パネルの周縁部上で接触することを特徴とする。
【０００７】
有利なことに、導電性フィルムは、導電性接着剤または導電性粘着剤または導電性インクにより電気的遮蔽フィルムに固定される。
【０００８】
有利なことに、導電性フィルムは、金属化ナイロン織地である。
【０００９】
有利なことに、マトリクス表示パネルは、液晶パネルまたは有機発光ダイオード・パネルまたは電気機械マイクロミラーのマトリクスである。
【００１０】
本発明は、上述のような表示装置であってマトリクス表示パネルとホルダ底面間に配置された振動手段により保証される触覚機能を含む装置にも関する。この導電性フィルムは、触覚効果によるマトリクス表示パネルの運動を妨げないように十分な可撓性をもっている。
【００１１】
添付図面を参照する以下の非制限的説明を一読することにより、本発明はよりよく理解され、かつ、その他の長所も明らかとなるであろう。図面の内容は、次のとおりである。
【図面の簡単な説明】
【００１２】
【図１】タッチ・パネルを含まず、接地される先行技術による表示装置を示す。
【図２】タッチ・パネルを含み、接地される先行技術による第１の表示装置構成を示す。
【図３】タッチ・パネルを含み、接地される先行技術による第２の表示装置構成を示す。
【図４】タッチ・パネルを含み、接地される本発明による表示装置を示す。
【図５】タッチ・スクリーンおよび触覚機能をもち、かつ、接地される本発明による表示装置を示す。
【発明を実施するための形態】
【００１３】
図４は、本発明による表示装置の部分断面図を示す。この装置は、導電性機械的ホルダ２を備えている。このホルダ２は、
−  マトリクス表示パネル１であって、その上側表面にこのマトリクス・パネルとほぼ同じ寸法の透明な電気的遮蔽フィルム３が被されているマトリクス表示パネル１。図４において、金属スペーサー７の上に搭載されている前記タッチ・パネル；
−  マトリクス表示パネル１とほぼ同じ寸法のタッチ・パネル６であって、前記マトリクス表示パネルの上に配置され、その下側表面は遮蔽フィルム３の直上に置かれているタッチ・パネル６；
−  電気的遮蔽フィルムと導電性機械的ホルダ２の底部間の接地経路を形成するために使用される柔軟な導電性フィルム８であって、柔軟な導電性フィルム８および遮蔽フィルム３は、マトリクス表示パネルの周縁部上で接触し、遮蔽フィルムは、機械的ホルダ２の側壁に沿って滑り込ませる、柔軟な導電性フィルム８
を収容する底部および側壁を含んでいる。
【００１４】
例示として、この導電性フィルムは、金属化ナイロン織地である。
【００１５】
この導電性フィルムは、導電性接着剤または導電性粘着剤によりまたは導電性インクによっても電気的遮蔽フィルムに固定される。これらの解決手法は、在来の方法により、柔軟なまたは「フレキシブルな」電気接続または液晶表示マトリクスの柔軟なタブにより実現される。ステープルまたは織地について通常に使用されている縫い込み固定機構の１つを使用することも可能である。
【００１６】
この柔軟なフィルムは、図４に示すように、飛び飛びの点においてまたは連続的にホルダの底部またはその金属スペーサーに接続され、したがって接地される。
【００１７】
この表示装置は、マトリクス表示パネルとホルダの底部の間に置かれる振動手段により保証される触覚機能を含み得る。この構成を図５に示す。触覚手段９は、図５のスプリングにより象徴されている。導電性フィルムは、触覚効果によるマトリクス表示パネルの運動を妨げないように十分柔軟なものが選択される。
【００１８】
本発明によるタッチ・パネルを含む表示装置における遮蔽接地の有利な点は主に、
−  装置の簡素性；
−  実現の簡素性；
−  優れた電気接地継続性；
−  ガラス・パネルとタッチ・パネルの両方に関して余分な掩蔽が生じないこと；
−  すべての種類の表示マトリクスに対する適合が容易であること；および
−  触覚手段の存在下を含む動作能力
である。
【符号の説明】
【００１９】
１  マトリクス表示パネル
２  導電性機械的ホルダ
３  電気的遮蔽フィルム
６  パネル
７  金属スペーサー
８  導電性フィルム
９  触覚手段
【図１】
2016071364.tif 000003
【図２】
2016071364.tif 000004
【図３】
2016071364.tif 000005
【図４】
2016071364.tif 000006
【図５】
2016071364.tif 000007
【外国語明細書】
2016071364000001.pdf